(57)【要約】【課題】便器排水口と床排水口とを確実に接続できるとともに、便器本体を正確な位置に固定することが可能であり、かつ優れた施工作業性を発揮可能な便器固定装置を提供する。【解決手段】本発明の便器固定装置は、便器固定部材８０と床排水接続部材７１とボルト８２とを備えている。便器固定部材８０には床面Ｆと当接する第１固定片８０ｅが形成され、床排水接続部材７１には床面Ｆと当接する第２固定片７１ｆが形成されている。本発明の便器固定装置は、第１固定片８０ｅ及び第２固定片７１ｆを同時に床面Ｆに固定するビス８１をさらに備えている。【選択図】図３
2008274565.tif 000002
【特許請求の範囲】
【請求項１】
便器本体を据え付ける床面に固定される便器固定部材と、
該便器本体の便鉢に形成された水封部に連通する便器排水口と、該床面から立ち上げられた床排水管に形成された床排水口とを接続し、該床面に固定される床排水接続部材と、
該便器本体に設けられた貫通孔に挿通され、該貫通孔の周縁に係止するとともに該便器本体と該便器固定部材とを固定する便器固定具とを備え、
前記便器固定部材には、前記床面と当接する第１固定片が形成され、
前記床排水接続部材には、該床面と当接する第２固定片が形成され、
該第１固定片及び該第２固定片を同時に該床面に固定する床固定具をさらに備えていることを特徴とする便器固定装置。
【請求項２】
前記便器本体は、前記便鉢の下端に形成された流入口から、設置時に該流入口より高い位置の前記便器排水口まで延びる上昇流路を有し、
前記床排水接続部材は、前記床面に固定され、前記床排水口と整合する接続部を有する排水接続ソケットと、該便器排水口と該排水接続ソケットとを接続する排水接続管とからなる請求項１記載の便器固定装置。
【請求項３】
前記便器固定部材は、設置時に左右で下方から上方に延びる脚部と、両該脚部を連結し、前記便器固定具により前記便器本体と固定される固定部とを有し、
各該脚部から前記第１固定片が後方向に延出して形成され、
前記排水接続ソケットは、前記接続部に形成され、前記床排水口と連通可能に前記排水接続管を嵌合する接続口と、該接続部から延出する２片の前記第２固定片とを有している請求項２記載の便器固定装置。
【請求項４】
前記第１固定片と前記第２固定片とは互いに嵌め合わせ可能に形成されている請求項１乃至３のいずれか１項記載の便器固定装置。
【請求項５】
前記第１固定片及び前記第２固定片の一方には係止凹部が形成され、該第１固定片及び該第２固定片の他方には該係止凹部と嵌合する係止凸部が形成されている請求項４記載の便器固定装置。
【請求項６】
前記係止凹部及び前記係止凸部は嵌合状態が一通りに制限されている請求項５記載の便器固定装置。
【発明の詳細な説明】
【技術分野】
【０００１】
本発明は、便器本体を床面に固定するための便器固定装置に関する。
【背景技術】
【０００２】
特許文献１〜３に従来の便器固定装置が開示されている。例えば特許文献１開示の便器固定装置は取付枠を備えている。取付枠は、便器本体の便鉢に形成された水封部に連通する便器排水口と、床面から立ち上げられた床排水管に形成された床排水口とを接続するものであり、これは便器本体を据え付ける床面と当接されるようになっている。この取付枠は、床面に複数本の固定ネジを挿通することにより、排水口が床排水管の床排水口と接続された状態で床面に固定されることとなる。また、便器本体には４個の貫通孔が設けられており、取付枠には垂直に延びる４個の固定片が形成されている。取付枠は、便器本体の各貫通孔から各固定片に固定ネジを挿通することにより、便器本体を固定することとなる。
【０００３】
この便器固定装置を用いて便器本体を床面に固定しようとする場合、床面に取付枠を固定して取付枠の排水口と床排水管の床排水口とを接続した後、便器本体の便器排水口を取付枠の排水口に接続しつつ便器本体を取付枠に固定しなければならない。この際、便器排水口と排水口とを接続し難いことから、便器排水口と床排水口との接続が充分でなかったり、便器本体が正確な位置に固定されなかったりするおそれがある。
【０００４】
一方、特許文献２開示の便器固定装置は、それぞれ別体の便器固定部材及び床排水接続部材と、木ネジとを備えている。便器固定部材には床面と当接する第１固定片が形成されており、便器固定部材は、その第１固定片から床面に１本のビスを挿通することにより、床面に固定されることとなる。床排水接続部材は便器本体の便器排水口と床排水管の床排水口とを接続するものである。この床排水接続部材には床面と当接する２個又は４個の第２固定片が形成されており、床排水接続部材は、各第２固定片から床面にそれぞれビスを挿通することにより、床面に固定されることとなる。また、便器固定部材は床排水接続部材と係合するようになっている。便器本体には単一の貫通孔が設けられている。１個の木ネジがその貫通孔に挿通され、その木ネジが貫通孔の周縁に係止するとともに便器固定部材を固定する。
【０００５】
この便器固定装置を用いて便器本体を床面に固定しようとする場合、床面に床排水接続部材を固定した後、便器固定部材を床排水接続部材と係合させながら床面に固定し、次いで、便器排水口と床排水口との位置あわせを行いながら、便器本体を便器固定部材に固定できる。このため、この便器固定装置によれば、便器排水口と床排水口とを確実に接続できるとともに、便器本体を正確な位置に固定することが可能になっている。
【０００６】
特許文献３開示の便器固定装置は、１本の固定ネジが便器本体の貫通孔を挿通して便器本体と便器固定部材とを固定しているとともに、２本のボルトが便器本体の貫通孔を挿通して便器本体と床排水接続部材とを固定している。他の構成及び作用は特許文献２の便器固定装置と同様である。
【０００７】
【特許文献１】特開昭６３−２２６４２１号公報
【特許文献２】特開平８−３２６１３５号公報
【特許文献３】特開２００３−１９３５４１号公報
【発明の開示】
【発明が解決しようとする課題】
【０００８】
しかし、上記特許文献２、３の便器固定装置を用いて便器本体を床面に固定しようとする場合、便器固定部材と床排水接続部材とをそれぞれ別のビス等により床面に固定しなければならず、施工時の作業性が悪い。
【０００９】
本発明は、上記従来の実情に鑑みてなされたものであって、便器排水口と床排水口とを確実に接続できるとともに、便器本体を正確な位置に固定することが可能であり、かつ優れた施工作業性を発揮可能な便器固定装置を提供することを解決すべき課題としている。
【課題を解決するための手段】
【００１０】
本発明の便器固定装置は、便器本体を据え付ける床面に固定される便器固定部材と、
該便器本体の便鉢に形成された水封部に連通する便器排水口と、該床面から立ち上げられた床排水管に形成された床排水口とを接続し、該床面に固定される床排水接続部材と、
該便器本体に設けられた貫通孔に挿通され、該貫通孔の周縁に係止するとともに該便器本体と該便器固定部材とを固定する便器固定具とを備え、
前記便器固定部材には、前記床面と当接する第１固定片が形成され、
前記床排水接続部材には、該床面と当接する第２固定片が形成され、
該第１固定片及び該第２固定片を同時に該床面に固定する床固定具をさらに備えていることを特徴とする。
【００１１】
本発明の便器固定装置を用いて便器本体を床面に固定しようとする場合、まず床面に床排水接続部材を位置させて床排水管の床排水口と整合させた後、便器固定部材の第１固定片と床排水接続部材の第２固定片とをともに床面に当接し、床固定具によって第１固定片及び第２固定片を同時に床面に固定できる。
【００１２】
次いで、便器排水口と床排水口との位置あわせを行いながら、便器本体を床面に位置させ、便器本体の貫通孔から便器固定具を挿入し、便器固定具で便器本体と便器固定部材とを固定する。
【００１３】
したがって、本発明の便器固定装置によれば、便器排水口と床排水口とを確実に接続できるとともに、便器本体を正確な位置に固定することが可能であり、かつ優れた施工作業性を発揮することが可能である。
【００１４】
便器固定具としては、公知のビス、ネジ等を採用することができる。また、床固定具としても、公知のビス、ネジ等を採用することができる。
【００１５】
本発明に係る床排水接続部材は、便器本体の便器排水口と床排水管の床排水口とを直接接続してもよい。便器排水口と床排水口とを直接接続する場合には床排水接続部材が排水流路を構成することとなる。
【００１６】
便器本体は、便鉢の下端に形成された流入口から、設置時に流入口より高い位置の便器排水口まで延びる上昇流路を有し得る。そして、床排水接続部材は、床面に固定され、床排水口と整合する接続部を有する排水接続ソケットと、便器排水口と排水接続ソケットとを接続する排水接続管とからなり得る。この場合、排水接続管及び床排水接続部材が排水流路を構成し、便器本体と排水接続管とが分離されることから、便器本体及び床排水接続部材を簡易なものとすることができる。
【００１７】
排水接続管は、１つの部材で構成されてもよく、２つ以上の部材で構成されてもよい。排水接続管を上流側の案内管と下流側の接続管本体とで構成する場合、便器本体に案内管を固定するとともに、接続管本体を排水接続ソケットに接続した後、便器本体及び案内管を床面に載置することにより、案内管を接続管本体に容易に接続することが可能になる。
【００１８】
便器固定部材は、設置時に左右で下方から上方に延びる脚部と、両脚部を連結し、便器固定具により便器本体と固定される固定部とを有し得る。そして、各脚部から第１固定片が後方向に延出して形成されていることが好ましい。また、排水接続ソケットは、接続部に形成され、床排水口と連通可能に排水接続管を嵌合する接続口と、接続部から延出する２片の第２固定片とを有していることが好ましい。この場合、便器固体部材の後方に床排水接続部材が位置し、一般的に便鉢の後方に位置する便器排水口と床排水管の床排水口とを排水接続管及び排水接続ソケットによって容易に接続することが可能になる。
【００１９】
第１固定片と第２固定片とは互いに嵌め合わせ可能に形成されていることが好ましい。例えば、第１固定片及び第２固定片の一方には係止凹部が形成され、第１固定片及び第２固定片の他方には係止凹部と嵌合する係止凸部が形成されていることが可能である。この場合、施工者は、第１固定片と第２固定片とを嵌め合わせて同時に床面に固定しようとするため、本発明の効果を確実に奏することができる。
【００２０】
係止凹部及び係止凸部は嵌合状態が一通りに制限されていることが好ましい。この場合、施工者の誤った施工を防止することが可能であり、本発明の効果をより確実に奏することができる。
【発明を実施するための最良の形態】
【００２１】
以下、本発明の便器固定装置を洋風水洗式便器に具体化した実施例１、２を図面を参照しつつ説明する。
【実施例１】
【００２２】
実施例１の洋風水洗式便器は、図１及び図２に示すように、便器本体１と、床排水接続部材６０と、便器固定部材８０と、便器洗浄装置１００と、吸気装置２００とを備えている。床排水接続部材６０は、案内管６２、接続管本体６５及び排水接続ソケット７１からなる。案内管６２と接続管本体６５とが排水接続管である。なお、便座及び便蓋の図示は省略する。
【００２３】
便器本体１は、便鉢２の上部内周にリム３を有している。また、便器本体１は、便鉢２の下端に形成された流入口２ａが便鉢２の裏面で後方に延びる上昇流路２ｂに連通している。上昇流路２ｂは設置時に流入口２ａより高い最高位部２ｃに位置する便器排水口２ｄまで延びている。こうして、便鉢２の下方には第１の水封部４ａが形成される。
【００２４】
便器本体１の便器排水口２ｄは水平後方に開口しており、便器排水口２ｄ回りにはパッキン６１が設けられ、パッキン６１は案内管６２に挿入している。
【００２５】
また、便器本体１の上面には便鉢２より後方に一対の凹部１ａが凹設されており、各凹部１ａの底面には便鉢２の下方の空間に連通する貫通孔１ｂが貫設されている。各凹部１ａの外側には便座及び便蓋を取り付けるための取付穴１ｃが貫設されている。凹部１ａ及び取付穴１ｃの後方には、案内管６２、接続管本体６５、排水接続ソケット７１、便器洗浄装置１００及び吸気装置２００を収納する収納空間１ｄが上下で貫通した状態で形成されている。
【００２６】
案内管６２は水平方向から鉛直下方向に湾曲しており、内部は下り傾斜する案内流路６２ａとされている。案内管６２の上端は便器排水口２ｄと接続され、案内管６２の下端は後述する接続管本体６５の上流口６３ａと接続されている。また、案内管６２には、上方に延びて吸気装置２００の吸引タンク２０１と接続される筒部６２ｂが形成されている。
【００２７】
案内管６２の下端に接続管本体６５が接続されている。接続管本体６５は、図３に示すように、上流管６３と下流管６４とからなる。
【００２８】
上流管６３は、上端に水平に開口する上流口６３ａが形成され、上流口６３ａから設置時に上流口６３ａより低い位置まで延び、そこで湾曲して他端に斜め上方に開口する接続口６３ｄが形成されたものである。下流管６４は、一端に斜め下方に開口する被接続口６４ａが形成され、被接続口６４ａから設置時に高い位置まで延び、そこで湾曲して他端で下方に開口する下流口６４ｄが形成されたものである。
【００２９】
上流管６３と下流管６４とは、接続口６３ｄ及び被接続口６４ａ回りに設けた接続部材６６によって一体に接続され、接続管本体６５とされている。この接続管本体６５はとぐろを巻いており、内部が排水流路６５ａを構成している。接続管本体６５における上流管６３の上流口６３ａ内には略円筒状のオリフィス部材６７が設けられている。オリフィス部材６７の下端は、オリフィスを形成するように小径にされている。また、上流管６３の上流口６３ａ回りにはパッキン６８が装着されている。案内管６２はこのパッキン６８を介して上流口６３ａ及びオリフィス部材６７に挿入されることで上流管６３に接続される。
【００３０】
一方、この洋風水洗式便器が据え置かれる床面Ｆには、上端に床排水口７０ａをもつ床排水管７０が立ち上げられている。また、床面Ｆには、便器固定部材８０と排水接続ソケット７１とが固定されている。
【００３１】
便器固定部材８０は、設置時に左右で下方から互いに徐々に近づくように上方に延びる脚部８０ａと、両脚部８０ａの上端を連結するブラケット８０ｂと、ブラケット８０ｂの両端に固定された固定部８０ｃとを有している。両脚部８０ａ及びブラケット８０ｂは金属製であり、両固定部８０ｃは樹脂製である。各脚部８０ａの下端には、床面Ｆと平行に短く前方に延びるサブ固定片８０ｄと、床面Ｆと平行に長く後方に延びる第１固定片８０ｅとが設けられている。
【００３２】
両サブ固定片８０ｄには、図４に示すように、ネジ穴８０ｆが貫設されている。両第１固定片８０ｅは、床面Ｆと平行に延びた後、上方に一旦屈曲して再度床面Ｆと平行に延び、最後に幅が狭くされて下方に屈曲している。上方に屈曲してから床面Ｆと平行に延びている部分にはネジ穴８０ｇが貫設されている。幅が狭くされて下方に屈曲している部分が係止凸部８０ｈである。
【００３３】
排水接続ソケット７１は、図３に示すように、床面Ｆと平行に延びる平板状の基部７１ｍを有している。基部７１ｍの底面には、図１に示すように、大径用の床排水口７０ａと整合する第１凹部７１ａと、小径用の床排水口７０ａと整合する第２凹部７１ｂとが同心に凹設されている。また、基部７１ｍの上面には、図３に示すように、第１凹部７１ａ及び第２凹部７１ｂと同心の接続部７１ｅが突設されており、接続部７１ｅの中心には接続管本体６５の下流管６４と嵌合する接続口７１ｃが開口されている。さらに、基部７１ｍの上面には接続管本体６５の下方側の湾曲部分を支持する支持部７１ｄが形成されている。
【００３４】
また、基部７１ｍには、床面Ｆと平行に互いに離れる方向に延びる第２固定片７１ｆが一体に形成されている。両第２固定片７１ｆの先端側の上面には、図４に示すように、前後方向に延びる凸部７１ｇが突設されており、凸部７１ｇより先端側は便器固定部材８０の第１固定片８０ｅの肉厚分だけ肉薄に形成されている。両第２固定片７１ｆの肉薄の部分にはネジ穴７１ｈが貫設されている。また、両第２固定片７１ｆの肉薄の部分の後方側面には、便器固定部材８０の係止凸部８０ｈと整合する係止凹部７１ｉが凹設されている。
【００３５】
図１に示すように、便器洗浄装置１００は水道管と接続されており、便器洗浄装置１００は開閉弁１０１を介して便器本体１のリム３に設けられたノズルに接続されている。また、吸気装置２００は、作動によって負圧を生じる負圧発生装置２０２と、この負圧発生装置２０２と開閉弁２０３を介して接続された吸引タンク２０１とを有している。
【００３６】
この洋風水洗式便器を床面Ｆに施工するに際し、まず排水接続ソケット７１を床面Ｆに固定する。この場合、図３に示すように、初めに床排水管７０の床排水口７０ａと第１凹部７１ａ又は第２凹部７１ｂとが整合するように、床面Ｆに排水接続ソケット７１を位置させる。床排出管７０の外周面と第１凹部７１ａ又は第２凹部７１ｂの内周面との間には接着剤を介在させる。
【００３７】
この後、便器固体部材８０を排水接続ソケット７１の前方に位置させ、排水接続ソケット７１を便器固定部材８０とともに床面Ｆに固定する。この際、便器固定部材８０の第１固定片８０ｅは、図４に示すように、屈曲されて形成され、かつ係止凸部８０ｈを有している一方、サブ固定片８０ｄはそのようになっていない。また、排水接続ソケット７１の第２固定片７１ｆは、凸部７１ｇを有して薄肉に形成され、かつ係止凹部７１ｉを有している。このため、便器固定部材８０のサブ固定片８０ｄは排水接続ソケット７１の第２固定片７１ｆと嵌め合わせできず、便器固定部材８０の第１固定片８０ｅが排水接続ソケット７１の第２固定片７１ｆと嵌め合わせ可能である。このため、施工者は、誤ることなく、第１固定片８０ｅを第２固定片７１ｆに重ね合わせることによって嵌め合わせることができる。そして、便器固定部材８０の前後方向、位置、向きを間違えず、ネジ穴８０ｇ、ネジ穴７１ｈに便器固定具としての共通のビス８１を挿通させることができる。また、サブ固定片８０ｄのネジ穴８０ｆにもビス８１を挿通させる。こうして、第１固定片８０ｅ及び第２固定片７１ｆを同時に床面Ｆに固定できる。
【００３８】
また、便器本体１に案内管６２を固定する。そして、上流管６３と下流管６４とを一体に組み付けて接続管本体６５とし、排水接続ソケット７１の接続口７１ｃに接続管本体６５の下流口６４ｄを挿入する。一方、図３及び図５に示すように、接続管本体６５の上流口６３ａにオリフィス部材６７及びパッキン６８を装着する。なお、上流管６３にパッキン６８を予め組み付けておくことも可能である。この後、便器本体１及び案内管６２を床面Ｆに載置すれば、案内管６２を接続管本体６５に容易に接続することが可能である。また、オリフィス部材６７を容易に排水流路６５ａに設けることが可能になる。なお、本発明は、案内管６２、上流管６３及び下流管６４が一体のものであってもよい。
【００３９】
そして、図２に示すように、便器本体１の凹部１ａを介して貫通孔１ａに便器固定具としてのボルト８２を挿通し、座金８３を介してボルト８２を便器固定部材８０の固定部８０ｃにねじ込む。
【００４０】
したがって、この便器固定装置によれば、便器排水口２ｄと床排水口７０ａとを案内管６２及び接続管本体６５を介して確実に接続できるとともに、便器本体１を正確な位置に床面Ｆに上方から固定することが可能になる。また、この際、優れた施工作業性を発揮することが可能である。
【００４１】
以上のように構成された洋風水洗式便器では、便器洗浄装置１００によってリム３に洗浄水が供給される。このため、便器本体１では、上昇流路２ｂによって洗浄水が封水となる第１の水封部４ａが便鉢２に形成されるとともに、接続管本体６５内の排水流路６５ａ内にも第２の水封部４ｂが形成される。そして、この洋風水洗式便器では、吸気装置２００によって排水流路６５ａ内の空気を吸引する。
【００４２】
これによって第１の水封部４ａに確実にサイホン作用を生じ、第１の水封部４ａ内の汚物は、便器本体１の便器排水口２ｄ、案内管６２、接続管本体６５に至り、床排水口７０ａから床排水管７０に排出されることとなる。
【実施例２】
【００４３】
実施例２の洋風水洗式便器は便器固定装置の排水接続ソケットを変更したものである。図６に示すように、この排水接続ソケット７２は支持部７１ｄを有していない。他の構成は実施例１の排水接続ソケット７１と同様であり、同一の構成については同一の符号を付して詳細な説明を省略する。
【００４４】
この排水接続ソケット７２により通常の接続管を接続することが可能である。なお、この排水接続ソケット７２によって実施例１のようなとぐろを巻いた接続管本体６５を接続することも可能ではある。他の作用効果は実施例１と同様である。
【００４５】
以上において、本発明を実施例１、２に即して説明したが、本発明は上記実施例１、２に制限されるものではなく、その趣旨を逸脱しない範囲で適宜変更して適用できることはいうまでもない。
【００４６】
例えば、内部が下り傾斜する案内流路を便器本体が有していても良い。この場合、案内流路の下流が便器排水口となる。
【００４７】
また、便鉢の下端に便器排水口を設け、上昇流路を便器本体とは別体の配管によって構成することも可能である。この場合、本発明の便器固定装置にその配管を接続することが可能である。
【産業上の利用可能性】
【００４８】
本発明は水洗式便器に利用可能である。
【図面の簡単な説明】
【００４９】
【図１】実施例１の洋風水洗式便器の一部模式の断面図である。
【図２】実施例１の洋風水洗式便器の要部斜視図である。
【図３】実施例１の便器固定装置の分解斜視図である。
【図４】実施例１の便器固定装置に係り、要部拡大斜視図である。
【図５】実施例１の便器固定装置の斜視図である。
【図６】実施例２の便器固定装置の斜視図である。
【符号の説明】
【００５０】
１…便器本体
Ｆ…床面
８０…便器固定部材
２…便鉢
４ａ…水封部
２ｄ…便器排水口
７０…床排水管
７０ａ…床排水口
６５ａ…排水流路
６０…床排水接続部材
１ｂ…貫通孔
８２…ボルト（便器固定具）
８０ｅ…第１固定片
７１ｆ…第２固定片
８１…ビス（床固定具）
２ａ…流入口
２ｂ…上昇流路
６２…案内管、６５…接続管本体（排水接続管）
７１、７２…排水接続ソケット
８０ａ…脚部
８０ｃ…固定部
７１ｃ…接続口
７１ｅ…接続部
７１ｉ…係止凹部
８０ｈ…係止凸部
【図１】
2008274565.tif 000003
【図２】
2008274565.tif 000004
【図３】
2008274565.tif 000005
【図４】
2008274565.tif 000006
【図５】
2008274565.tif 000007
【図６】
2008274565.tif 000008